(57)【要約】【課題】  画像形成装置における高精度な画像診断機能を実現する。【解決手段】  管理サーバー１は、（ａ）調整対象の画像形成装置３における印刷装置３３によりプリントされたテストチャートからその画像形成装置３における画像読取装置３２により読み取られたテストチャート画像を取得し、（ｂ）そのテストチャート画像に基づいて現時点の印字濃度および印字位置の変位を特定し、（ｂ）その画像読取装置３２の機械的特性に起因するスキャン濃度およびスキャン位置の潜在変位を特定し、（ｃ）特定した潜在変位に基づいて、印刷装置３３の印字濃度および印字位置の変位を、現時点の変位から潜在変位へ補正する補正データを算出する。画像形成装置３は、その補正データに基づいて、印刷装置３３の印字濃度および印字位置の変位が潜在変位になるように、印字濃度および印字位置を調整する。【選択図】  図１
2019144707.tif 000002
【特許請求の範囲】
【請求項１】
画像読取装置とプリント装置とを備える画像形成装置と、
管理サーバーとを備え、
前記管理サーバーは、（ａ）前記プリント装置によりプリントされたテストチャートから前記画像読取装置により読み取られたテストチャート画像を前記画像形成装置から取得し、（ｂ）前記テストチャート画像に基づいて現時点の印字濃度および印字位置の変位を特定し、（ｃ）当該画像形成装置における前記画像読取装置の機械的特性に起因するスキャン濃度およびスキャン位置の潜在変位を特定し、（ｄ）特定した前記潜在変位に基づいて、前記プリント装置の印字濃度および印字位置の変位を、現時点の前記変位から前記潜在変位へ補正する補正データを算出し、
前記画像形成装置は、前記補正データに基づいて、前記プリント装置の印字濃度および印字位置の変位が前記潜在変位となるように前記印字濃度および前記印字位置を調整すること、
を特徴とするデバイス管理システム。
【請求項２】
画像形成装置の個体ごとにデバイス識別子と前記潜在変位とを関連付けて記憶する記憶装置をさらに備え、
前記画像形成装置は、当該画像形成装置のデバイス識別子を前記管理サーバーへ送信し、
前記管理サーバーは、前記デバイス識別子を受信し、前記デバイス識別子に関連付けられている前記潜在変位を特定し、特定した前記潜在変位に基づいて前記補正データを算出すること、
を特徴とする請求項１記載のデバイス管理システム。
【請求項３】
端末装置をさらに備え、
前記管理サーバーは、前記画像形成装置の出荷前に、前記端末装置から前記画像形成装置のデバイス識別子と前記潜在変位とを受信し、受信した前記デバイス識別子と前記潜在変位とを前記記憶装置に記憶し、
前記管理サーバーは、前記画像形成装置の出荷後に、前記デバイス識別子を受信し、前記デバイス識別子に関連付けられている前記潜在変位を特定し、特定した前記潜在変位に基づいて前記補正データを算出すること、
を特徴とする請求項２記載のデバイス管理システム。
【請求項４】
調整対象の画像形成装置を特定する機器特定部と、
（ａ）前記調整対象の画像形成装置におけるプリント装置によりプリントされたテストチャートから前記調整対象の画像形成装置における画像読取装置により読み取られたテストチャート画像を前記画像形成装置から取得し、（ｂ）前記テストチャート画像に基づいて現時点の印字濃度および印字位置の変位を特定し、（ｃ）当該画像形成装置における前記画像読取装置の機械的特性に起因するスキャン濃度およびスキャン位置の潜在変位を特定し、（ｄ）特定した前記潜在変位に基づいて、前記プリント装置の印字濃度および印字位置の変位を、現時点の前記変位から前記潜在変位へ補正する補正データを算出する補正計算部と、
を備えることを特徴とする管理サーバー。
【請求項５】
画像読取装置と、
プリント装置と、
前記プリント装置を制御するコントローラーと、
通信装置と、
（ａ）前記プリント装置によりプリントされたテストチャートから前記画像読取装置により読み取られたテストチャート画像に基づく現時点の印字濃度および印字位置の変位を特定し、（ｂ）前記通信装置を使用して、当該画像読取装置の機械的特性に起因するスキャン濃度およびスキャン位置の潜在変位を所定の管理サーバーから取得し、（ｃ）特定した前記潜在変位および前記現時点の印字濃度および印字位置に基づいて、前記プリント装置の印字濃度および印字位置の変位を、現時点の前記変位から前記潜在変位へ補正する補正データを算出する補正計算部と、  
前記補正データに基づいて、前記プリント装置の印字濃度および印字位置の変位が前記潜在変位となるように前記印字濃度および前記印字位置の補正量を調整する補正量調整部と、
を備えることを特徴とする画像形成装置。
【発明の詳細な説明】
【技術分野】
【０００１】
本発明は、デバイス管理システム、管理サーバー、および画像形成装置に関するものである。
【背景技術】
【０００２】
ある画像形成装置（複合機など）は、印字濃度又は印字位置の維持管理や不具合の原因分析を目的として、実機で印刷されたテストパターンを実機の画像読取装置で読み込み、濃度、色ずれ、不具合などを診断し、診断結果に基づいて実機のメンテナンスやコンディション維持を行う画像診断機能を備える（例えば特許文献１参照）。
【先行技術文献】
【特許文献】
【０００３】
【特許文献１】特開平４−２５８０８０号公報
【発明の概要】
【発明が解決しようとする課題】
【０００４】
高精度な画像診断機能を実現するためには画像読取装置の測定精度が重要になるが、画像読取装置には個体バラツキが存在し、画像読取装置のコンタクトガラス部の平面度、本体筐体のスキャナー枠体とコンタクトガラスとの間の距離変動などといった機械的特性に応じて、スキャン濃度やスキャン位置に変位が生じる。
【０００５】
しかしながら、上述の画像診断機能では、このような画像読取装置の機械的特性に起因する潜在的な変位を考慮しておらず、印字濃度や印字位置の変位がゼロになるように印字濃度や印字位置を調整すると、この潜在的な変位の分だけ印字濃度や印字位置にずれが生じてしまう。このような潜在的な変位は、画像読取装置の個体ごとに異なるため、画像読取装置の個体ごとに潜在的な変位を示す変位データを各画像形成装置に保持しておくことでこのような潜在的な変位を考慮した画像診断機能が可能となるが、変位データのためのメモリー領域が必要となり、画像形成装置のコストが高くなってしまう。
【０００６】
このように、上述の潜在的な変位に起因して、現時点の印字濃度や印字位置に対応する適切な補正量を正確に計算することは困難である。
【０００７】
本発明は、上記の問題に鑑みてなされたものであり、高精度な画像診断機能を実現するデバイス管理システム、画像形成装置、および管理サーバーを得ることを目的とする。
【課題を解決するための手段】
【０００８】
本発明に係るデバイス管理システムは、画像読取装置とプリント装置とを備える画像形成装置と、管理サーバーとを備える。前記管理サーバーは、（ａ）前記プリント装置によりプリントされたテストチャートから前記画像読取装置により読み取られたテストチャート画像を前記画像形成装置から取得し、（ｂ）前記テストチャート画像に基づいて現時点の印字濃度および印字位置の変位を特定し、（ｃ）当該画像形成装置における前記画像読取装置の機械的特性に起因するスキャン濃度およびスキャン位置の潜在変位を特定し、（ｄ）特定した前記潜在変位に基づいて、前記プリント装置の印字濃度および印字位置の変位を、現時点の前記変位から前記潜在変位へ補正する補正データを算出する。前記画像形成装置は、前記補正データに基づいて、前記プリント装置の印字濃度および印字位置の変位が前記潜在変位となるように前記印字濃度および前記印字位置を調整する。
【０００９】
本発明に係る管理サーバーは、調整対象の画像形成装置を特定する機器特定部と、（ａ）前記調整対象の画像形成装置におけるプリント装置によりプリントされたテストチャートから前記調整対象の画像形成装置における画像読取装置により読み取られたテストチャート画像を前記画像形成装置から取得し、（ｂ）前記テストチャート画像に基づいて現時点の印字濃度および印字位置の変位を特定し、（ｃ）当該画像形成装置における前記画像読取装置の機械的特性に起因するスキャン濃度およびスキャン位置の潜在変位を特定し、（ｄ）特定した前記潜在変位に基づいて、前記プリント装置の印字濃度および印字位置の変位を、現時点の前記変位から前記潜在変位へ補正する補正データを算出する補正計算部とを備える。
【００１０】
本発明に係る画像形成装置は、画像読取装置と、プリント装置と、前記プリント装置を制御するコントローラーと、通信装置と、（ａ）前記プリント装置によりプリントされたテストチャートから前記画像読取装置により読み取られたテストチャート画像に基づく現時点の印字濃度および印字位置の変位を特定し、（ｂ）前記通信装置を使用して、当該画像読取装置の機械的特性に起因するスキャン濃度およびスキャン位置の潜在変位を所定の管理サーバーから取得し、（ｃ）特定した前記潜在変位および前記現時点の印字濃度および印字位置に基づいて、前記プリント装置の印字濃度および印字位置の変位を、現時点の前記変位から前記潜在変位へ補正する補正データを算出する補正計算部と、前記補正データに基づいて、前記プリント装置の印字濃度および印字位置の変位が前記潜在変位となるように前記印字濃度および前記印字位置の補正量を調整する補正量調整部とを備える。
【発明の効果】
【００１１】
本発明によれば、高精度な画像診断機能を実現するデバイス管理システム、管理差バー、および画像形成装置が得られる。
【００１２】
本発明の上記又は他の目的、特徴および優位性は、添付の図面とともに以下の詳細な説明から更に明らかになる。
【図面の簡単な説明】
【００１３】
【図１】図１は、本発明の実施の形態１に係るデバイス管理システムの構成を示すブロック図である。
【図２】図２は、テストチャートを説明する図である。
【図３】図３は、本発明の実施の形態１に係るデバイス管理システムの動作について説明するシーケンス図である。
【図４】図４は、本発明の実施の形態２に係るデバイス管理システムの構成を示すブロック図である。
【図５】図５は、本発明の実施の形態２に係るデバイス管理システムの動作について説明するシーケンス図である。
【発明を実施するための形態】
【００１４】
以下、図に基づいて本発明の実施の形態を説明する。
【００１５】
実施の形態１．
【００１６】
図１は、本発明の実施の形態１に係るデバイス管理システムの構成を示すブロック図である。図１に示すシステムでは、管理サーバー１がネットワーク２に接続されており、また、１または複数の画像形成装置３がネットワーク２に接続されている。さらに、１または複数の端末装置４がネットワーク２に接続されている。
【００１７】
管理サーバー１は、ネットワーク２を介して画像形成装置３および端末装置４と通信可能となっている。ネットワーク２は、イントラネットなどのＬＡＮ（Local Area Network）、インターネットなどのＷＡＮ（Wide Area Network）などを含む。画像形成装置３は、プリンター、複合機などである。端末装置４は、画像形成装置３のベンダーまたはメーカー製造の拠点に設置されている。
【００１８】
図１に示す管理サーバー１は、ネットワークインターフェイスなどの通信装置１１、演算処理装置１２、および各種プログラムや各種データを格納する不揮発性の記憶装置１３を備える。
【００１９】
通信装置１１は、ネットワーク２に接続され、ネットワーク２に接続されている他の装置（画像形成装置３など）との間でデータ通信を行う。
【００２０】
演算処理装置１２は、ＣＰＵ（Central Processing Unit）、ＲＯＭ（Read Only Memory）、およびＲＡＭ（Random Access Memory）を備えたコンピューターであって、ＲＯＭ、記憶装置１３などからプログラムをＲＡＭにロードしＣＰＵで実行することで、各種処理部として動作する。記憶装置１３には、変位データ２４が記憶されている。変位データ２４は、各画像形成装置３における画像読取装置３２の機械的特性に起因するスキャン濃度およびスキャン位置の潜在変位を示すデータである。変位データ２４は、画像形成装置３の個体ごとにデバイス識別子に関連付けられた潜在変位データを含む。
【００２１】
実施の形態１では、演算処理装置１２は、機器特定部２１、補正計算部２２、および変位データ登録部２３として動作する。
【００２２】
実施の形態１では、機器特定部２１は、通信装置１１を使用して、画像形成装置３からの補正データ要求などを受信し、補正データ要求を送信した画像形成装置３のデバイス識別子を特定する。
【００２３】
補正計算部２２は、（ａ）調整対象の画像形成装置３における印刷装置３３により印刷されたテストチャートから調整対象の画像形成装置３における画像読取装置３２により読み取られたテストチャート画像をその画像形成装置３から取得し、（ｂ）そのテストチャート画像に基づいて現時点の印字濃度および印字位置の変位を特定し、（ｃ）当該画像形成装置３における画像読取装置３２の機械的特性に起因するスキャン濃度およびスキャン位置の潜在変位を特定し、（ｄ）特定した潜在変位に基づいて、印刷装置３３の印字濃度および印字位置の変位を、現時点の変位から潜在変位へ補正する補正データを算出する。ここで、補正データは、印刷装置３３のプロセス補正量（印字位置の補正量、各トナー色の印字濃度（最高濃度、各階調の濃度など）の補正量）である。
【００２４】
変位データ登録部２３は、端末装置４から登録要求、および画像形成装置３のデバイス識別子（シリアルナンバーなど）と潜在変位データとの対を受信すると、そのデバイス識別子と潜在変位データとの対を記憶装置１３における変位データ２４に登録する。
【００２５】
また、図１に示す画像形成装置３は、内部装置として、ネットワークインターフェイスなどの通信装置３１、画像読取装置３２、印刷装置３３、不揮発性の記憶装置３４、および演算処理装置３５を備える。
【００２６】
通信装置３１は、ネットワーク２に接続され、ネットワーク２に接続されている他の装置（管理サーバー１など）との間でデータ通信を行う。画像読取装置３２は、原稿から原稿画像を光学的に読み取り、その原稿画像の画像データを生成する。印刷装置３３は、例えば電子写真方式で、画像データに基づく画像を印刷用紙に印刷する。
【００２７】
演算処理装置３５は、ＡＳＩＣ（Application Specific Integrated Circuit）や、ＲＯＭ、記憶装置３４などからプログラムをＲＡＭにロードしＣＰＵで実行するコンピューターなどを備え、そのＡＳＩＣ、コンピューターなどによって各種処理部として動作する。
【００２８】
実施の形態１では、演算処理装置３５は、コントローラー４１および補正量調整部４２として動作する。
【００２９】
コントローラー４１は、印字濃度および印字位置を印刷装置３３に指定し、印刷装置３３を制御して印刷（プリント）を実行する。
【００３０】
実施の形態１では、補正量調整部４２は、（ａ）印刷装置３３でテストチャートを印刷し、印刷したテストチャートの画像を画像読取装置３２で読み取り、テストチャートの画像に基づいて、現時点の印字濃度および印字位置の変位を特定し、（ｂ）通信装置３１を使用して、補正データ要求、当該画像形成装置のデバイス識別子、並びに現時点の印字濃度および印字位置の変位を管理サーバー１へ送信し、上述の補正データを管理サーバー１から受信し、（ｃ）受信した補正データに基づいて、印刷装置３３の印字濃度および印字位置の変位が潜在変位となるように、コントローラー４１に対して、印刷装置３３の印字濃度および印字位置を設定する。
【００３１】
図２は、テストチャートを説明する図である。濃度変位を検出するための濃度検出パターンと、位置変位を検出するための位置検出パターンとが印刷用紙に印刷され、テストチャートが生成される。なお、テストチャートは、１枚でも複数枚でもよい。そして、印刷された濃度検出パターンのスキャン濃度、および印刷された位置検出パターンのスキャン位置が、現時点の印字濃度および印字位置として特定される。図２に示す濃度検出パターンは、Ａ３サイズにおいて、横方向に３箇所、縦方向に５箇所に、同一濃度のモノクロパッチを有する。そして、例えば、読み取られたテストチャートのモノクロパッチのＲＧＢデータのうちのＧ値がスキャン濃度とされ、所定の基準値との差が濃度の変位とされる。また、位置検出パターンは、例えば図２に示すような主走査方向と副走査方向の細線からなるモノクロパッチを含み、パッチの変位や色ずれ（つまり、トナー色間の変位）と所定の基準値との差が位置の変位とされる。
【００３２】
また、端末装置４は、例えばネットワーク機能を有するパーソナルコンピューターなどであって、管理サーバー１にアクセスし、当該端末装置４が設置された拠点から出荷される画像形成装置３について、オペレーターにより端末装置４に入力された各画像形成装置３のデバイス識別子と潜在変位データとの対を特定し、管理サーバー１へ送信してそのデバイス識別子と潜在変位データとの対を管理サーバー１に登録させる。
【００３３】
次に、実施の形態１に係るデバイス管理システム装置の動作について説明する。図３は、本発明の実施の形態１に係るデバイス管理システムの動作について説明するシーケンス図である。
【００３４】
画像形成装置３の出荷前に、オペレーター（メーカーやベンダーの作業員）は、その画像形成装置３の潜在変位を測定し（ステップＳ１）、端末装置４に入力する。端末装置４は、登録要求とともに、その画像形成装置３のデバイス識別子および潜在変位データを、管理サーバー１へ送信する（ステップＳ２）。管理サーバー１の変位データ登録部２３は、その登録要求、デバイス識別子および潜在変位データを受信すると、そのデバイス識別子および潜在変位データを変位データ２４に登録する（ステップＳ３）。なお、潜在変位の測定には、上述のテストチャートが使用される（つまり、後述のステップＳ１１での変位の測定と同一のテストチャートが使用される）。具体的には、出荷前の画像形成装置３について、出荷前に正確に調整された印刷装置３３で印刷されたテストチャートのテストチャート画像が画像読取装置３２により読み取られ、テストチャート画像からスキャン濃度およびスキャン位置が特定され、そのスキャン濃度およびスキャン位置とそれらの所定の基準値（機種ごと、つまり個体間で共通の基準値）との差が潜在変位として特定される。
【００３５】
画像形成装置３の出荷後、所定のユーザー操作（管理者、サービスパーソンなどによる操作）が検出されると、画像形成装置３の補正量調整部４２は、例えば図２に示すようなテストチャートを印刷装置３３で印刷する。そして、ユーザーは、印刷されたテストチャートを画像読取装置３２にセットし、所定の操作を画像形成装置３に対して行う。その操作が検出されると、補正量調整部４２は、印刷したテストチャートの画像を画像読取装置３２で読み取り（ステップＳ１１）、通信装置３１を使用して、補正データ要求、当該画像形成装置のデバイス識別子、およびそのテストチャート画像を管理サーバー１へ送信する（ステップＳ１２）。
【００３６】
また、管理サーバー１の機器特定部２１は、通信装置１１を使用して、補正データ要求、当該画像形成装置のデバイス識別子、およびテストチャート画像を受信すると、そのデバイス識別子を特定する。そして、補正計算部２２は、（ａ）テストチャート画像に基づいて、印字濃度および印字位置についての現時点の変位を特定し（ステップＳ１３）、（ｂ）変位データ２４において、特定されたデバイス識別子に関連付けられている潜在変位を特定し（ステップＳ１４）、印刷装置３３の印字濃度および印字位置の変位を、現時点の変位から潜在変位へ補正する補正データを算出する（ステップＳ１５）。ここで、上述の現時点の変位には、画像読取装置３２の潜在変位が含まれている。
【００３７】
そして、補正計算部２２は、通信装置１１を使用して、その補正データを、上述の補正データ要求に対する応答として画像形成装置３へ送信する（ステップＳ１６）。
【００３８】
その画像形成装置３では、補正量調整部４２は、通信装置３１を使用して、その補正データを受信し、受信した補正データに基づいて、コントローラー４１に対して、印刷装置３３の印字濃度および印字位置を設定する（ステップＳ１７）。これにより、印刷装置３３の印字濃度および印字位置の変位が潜在変位となり、印字濃度および印字位置が出荷時と同様の状態に調整される。
【００３９】
以上のように、上記実施の形態１によれば、管理サーバー１は、機器特定部２１と補正計算部２２とを備える。そして、機器特定部２１は、調整対象の画像形成装置３を特定し、補正計算部２２は、（ａ）調整対象の画像形成装置３における印刷装置３３により印刷されたテストチャートから調整対象の画像形成装置３における画像読取装置３２により読み取られたテストチャート画像をその画像形成装置３から取得し、（ｂ）そのテストチャート画像に基づいて現時点の印字濃度および印字位置の変位を特定し、（ｃ）当該画像形成装置３における画像読取装置３２の機械的特性に起因するスキャン濃度およびスキャン位置の潜在変位を特定し、（ｄ）特定した潜在変位に基づいて、印刷装置３３の印字濃度および印字位置の変位を、現時点の変位から潜在変位へ補正する補正データを算出する。画像形成装置３は、その補正データに基づいて、印刷装置３３の印字濃度および印字位置の変位が潜在変位になるように、印字濃度および印字位置を調整する。
【００４０】
これにより、印字濃度および印字位置が出荷前の正確な状態に調整されるため、画像形成装置３における高精度な画像診断機能が実現される。
【００４１】
実施の形態２．
【００４２】
図４は、本発明の実施の形態２に係るデバイス管理システムの構成を示すブロック図である。
【００４３】
実施の形態２では、管理サーバー１の機器特定部２１は、通信装置１１を使用して、画像形成装置３からの変位データ要求などを受信し、変位データ要求を送信した画像形成装置３のデバイス識別子を特定し、特定したデバイス識別子に関連付けられている潜在変位を変位データ２４から読み出し、その画像形成装置３へ送信する。
【００４４】
また、実施の形態２では、画像形成装置３の演算処理装置３５は、補正計算部４３としても動作する。
【００４５】
実施の形態２では、画像形成装置３の補正計算部４３は、（ａ）印刷装置３３により印刷されたテストチャートから画像読取装置３２により読み取られたテストチャート画像に基づく現時点の印字濃度および印字位置の変位を特定し、（ｂ）通信装置３１を使用して、当該画像読取装置３２の機械的特性に起因するスキャン濃度およびスキャン位置の潜在変位を所定の管理サーバー１から取得し、（ｃ）特定した変位データおよび現時点の印字濃度および印字位置に基づいて、印刷装置３３の印字濃度および印字位置の変位を、現時点の変位から潜在変位へ補正する補正データを算出する。
【００４６】
なお、実施の形態２に係るデバイス管理システムのその他の構成については実施の形態１と同様であるので、その説明を省略する。
【００４７】
次に、実施の形態２に係るデバイス管理システム装置の動作について説明する。図５は、本発明の実施の形態２に係るデバイス管理システムの動作について説明するシーケンス図である。
【００４８】
変位データ２４の登録（ステップＳ１〜Ｓ３）については実施の形態１と同様であるのでその説明を省略する。
【００４９】
画像形成装置３の出荷後、所定のユーザー操作が検出されると、画像形成装置３において、補正量調整部４２は、実施の形態１と同様にして、印刷装置３３および画像読取装置３２を使用してテストチャート画像を取得し、補正計算部４３は、そのテストチャート画像に基づいて、印字濃度および印字位置についての現時点の変位を特定する（ステップＳ２１）。
【００５０】
そして、実施の形態２では、補正量調整部４２は、通信装置３１を使用して、変位データ要求、および当該画像形成装置のデバイス識別子を管理サーバー１へ送信する（ステップＳ２２）。
【００５１】
管理サーバー１の機器特定部２１は、通信装置１１を使用して、変位データ要求および当該画像形成装置３のデバイス識別子を受信すると、そのデバイス識別子を特定し、そのデバイス識別子に関連付けられている潜在変位を変位データ２４から抽出し（ステップＳ２３）、潜在変位データとして、その変位データ要求の送信元の画像形成装置３へ送信する（ステップＳ２４）。
【００５２】
そして、その画像形成装置３の補正計算部４３は、その潜在変位データを受信し、ステップＳ２１で得られた現時点の変位と、受信した潜在変位データとに基づいて、印刷装置３３の印字濃度および印字位置の変位を、現時点の変位から潜在変位へ補正する補正データを算出する（ステップＳ２５）。
【００５３】
補正量調整部４２は、補正計算部４３により算出された補正データに基づいて、印刷装置３３の印字濃度および印字位置の変位が潜在変位となるように、コントローラー４１に対して、印刷装置３３の印字濃度および印字位置を設定する（ステップＳ２６）。
【００５４】
以上のように、上記実施の形態２によれば、画像形成装置３は、（ａ）内蔵の印刷装置３３により印刷されたテストチャートから内蔵の画像読取装置３２により読み取られたテストチャート画像に基づく現時点の印字濃度および印字位置の変位を特定し、（ｂ）通信装置３１を使用して、当該画像読取装置３２の機械的特性に起因するスキャン濃度およびスキャン位置の潜在変位を所定の管理サーバー１から取得し、（ｃ）特定した潜在変位および現時点の印字濃度および印字位置に基づいて、印刷装置３３の印字濃度および印字位置の変位を、現時点の変位から潜在変位へ補正する補正データを算出し、その補正データに基づいて、印刷装置３３の印字濃度および印字位置の変位が潜在変位となるように印字濃度および印字位置の補正量を調整する。
【００５５】
これにより、印字濃度および印字位置が出荷前の正確な状態に調整されるため、画像形成装置３における高精度な画像診断機能が実現される。
【００５６】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【産業上の利用可能性】
【００５７】
本発明は、例えば、複合機などの画像形成装置の調整に適用可能である。
【符号の説明】
【００５８】
１  管理サーバー
３  画像形成装置
４  端末装置
２１  機器特定部
２２  補正計算部
３２  画像読取装置
３３  印刷装置（プリント装置の一例）
４２  補正量調整部
４３  補正計算部
【図１】
2019144707.tif 000003
【図２】
2019144707.tif 000004
【図３】
2019144707.tif 000005
【図４】
2019144707.tif 000006
【図５】
2019144707.tif 000007